(57)【要約】【課題】画面全体の解像度を下げることなく、エッジ近傍に発生するリンギングノイズを抑制可能なディジタル画像処理、さらに、簡易な仕組みで動画像にも対応できる処理速度を有するディジタル画像処理を実行可能なテレビジョン装置を提供する。【解決手段】テレビジョン装置１０の記録部１７ｃに各画素の輝度の差分を基にエッジを検出するエッジ検出手段と、エッジ検出手段にて検出されたエッジにて分割された領域を特定する領域特定手段と、上記領域特定手段により特定された領域の特定周波数領域帯を平滑化処理することによりリンギングノイズを除去するフィルタリング処理手段とを有するリンギングノイズ除去プログラムを記録し、上記プログラムに基づいてマイコン１７ｂは所定の指示を映像回路１４に出力する。【選択図】図１
2007282121.tif 000002
【特許請求の範囲】
【請求項１】
映像を表示する表示ディスプレイと、
リモコンの操作キーの操作に基づいて所定の制御信号を出力するマイコンと、
上記マイコンに所定の制御信号を出力するための制御プログラムを記録する記録部と、  上記マイコンからの制御信号に基づいて、アンテナが受信したテレビジョン電波を基に映像信号と音声信号を生成するクロマ制御を行うチューナ部と、
上記チューナ部にて生成された上記映像信号を上記表示ディスプレイのマトリクス状に配列した画素に対応するよう分割するとともに、マイコンからの指示に基づいて上記分割した映像信号に所定のディジタル画像処理を実行する映像回路とを有するテレビジョン装置において、
上記記録部は、上記マイコンが上記映像回路に画面のリンギングノイズの除去を実行するための制御信号を送るリンギングノイズ除去プログラムを記録し、
上記リンギングノイズ除去プログラムは、上記各画素の輝度の差分を基にエッジ検出を行った後、検出された上記エッジの近傍の領域をラベリングし、上記ラベリングした領域の中の特定周波数を基準としてローパスフィルターにてリンギングノイズの低減を行うディジタル画像処理を実行するプログラムであって、
上記リモコンの操作キーの操作に基づいて、上記マイコンは上記リンギングノイズ除去プログラムのパラメータであるエッジ検出のための輝度の差分の値と、上記ラベリングを行う領域の選択条件と、上記ローパスフィルターのフィルターをかける周波数のしきい値を変更可能であることを特徴とするテレビジョン装置。
【請求項２】
チューナ部が受信したテレビジョン電波を基に映像信号を生成するとともに、映像回路にて上記映像信号を表示パネルの各画素に対応するよう分割するとともに、同映像信号にディジタル画像処理を行うテレビジョン装置において、
上記各画素の輝度の差分を基にエッジを検出するエッジ検出手段と、
上記エッジ検出手段にて検出されたエッジにて分割された領域を特定する領域特定手段と、
上記領域特定手段により特定された領域の特定周波数をローパスフィルターを用いてフィルタリングすることによりリンギングノイズを除去するフィルタリング手段とを有することを特徴とするテレビジョン装置。
【請求項３】
上記テレビジョン装置は、上記映像回路に所定のディジタル画像処理を実行するための指示を出すマイコンと、
上記マイコンを起動させるための所定のプログラムを記録する記録部とを有する構成であって、
上記エッジ検出手段と、上記領域特定手段とは上記記録部が記録するリンギングノイズ除去プログラムを基にマイコンが実行するとともに、上記フィルタリング処理手段は上記マイコンからの指示に基づいて映像回路にて実行されることを特徴とする請求項２に記載のテレビジョン装置。
【請求項４】
上記マイコンは、外部操作により上記記録部が記録するプログラムのパラメータを可変可能であって、
上記リンギングノイズ除去プログラムは、エッジを特定するための上記輝度の差分の値と、上記領域特定手段が特定する領域と、上記フィルタリング処理手段がリンギングノイズを除去するために用いる特定周波数のしきい値を変更可能であることを特徴とする請求項３に記載のテレビジョン装置。
【発明の詳細な説明】
【技術分野】
【０００１】
本発明は、ディジタル画像処理を行うテレビジョン装置に関し、特に映像信号のリンギングノイズを低減するディジタル画像処理を行うテレビジョン装置に関する。 
【背景技術】
【０００２】
従来のテレビジョン装置は、チューナ部にて生成された映像信号に映像回路が所定のディジタル画像処理を行うことで、画質の向上を実現している。映像回路は、ディジタル画像処理において、画像の拡大・縮小、平滑化処理等をフーリエ解析等の複雑な計算を用いて行っている。しかしながらディジタル画像処理において、エッジ部分にわずかなプリシュート、オーバーシュート成分が誇張され、リンギングノイズとよばれるノイズ映像が発生してしまうことがある。
【０００３】
図７はリンギングノイズが発生したテレビジョン画面を表す図である。同図よりリンギングノイズは、映像の輪郭部分（エッジ）周辺に本来ならば存在しない線が数本表示されている。映像領域におけるノイズ成分は、映像領域周辺の輝度差が比較的高い画素の集まりにより構成されている。このため、ディジタル画像処理においては、上記ノイズ成分の除去として上記した映像領域の輝度差をフィルターを用いて低減させる方法が取られている。
【０００４】
上述したノイズ成分の除去方法としては、映像のエッジに対して平行なフィルターをかけるとともに、上記フィルターと平行なブロックにも同様なフィルターをかけることでノイズを除去する方法が開示されている（例えば、特許文献１参照。）。
【０００５】
また、静止画をサンプリングして拡大・縮小のディジタル画像処理を行う際、不連続領域としてのエッジ成分のディジタル画像処理におけるリンギングノイズ発生防止のためにエッジ部分を個別のフィルターを用いてディジタル画像処理を行う方法が開示されている（例えば、特許文献２参照。）
【０００６】
さらには、スキャナ等の光学読み取り装置により、画像の劣化した静止画を読み取る際に発生するリンギングノイズを防止するために、所定画像領域の劣化の度合いに応じてフィルター係数設定回路にて複数のフィルター係数にて平滑化処理を実行し、上記処理を行った中から最適な画像を選択する方法が開示されている（例えば、特許文献３参照。）。
【０００７】
また、エッジを含む映像領域をディジタル画像処理するために、ウェーブレット変換等の論理演算を用いてノイズの発生を防止する方法が開示されている（例えば、特許文献４参照。）。
【０００８】
さらに、ディジタル画像処理を実行する領域のエッジ部分の検出制度を上げて、上記検出されたエッジ部分に所定のディジタル画像処理を施す方法が開示されている（例えば、特許文献５参照）。
【特許文献１】特開２００１−３２０５８６
【特許文献２】特開平１０−６５９０９
【特許文献３】特開平８−２６５５７２
【特許文献４】特開平１０−１９１３２６
【特許文献５】特開２００３−６１１０５
【発明の開示】
【発明が解決しようとする課題】
【０００９】
上述した特許文献１の発明は、次のような課題があった。つまり、画素領域全体にディジタル画像処理を行うため、基画像の解像度を低下させる問題がった。
【００１０】
また、特許文献２、特許文献３、並びに特許文献５の発明は、次のような課題がった。つまり、プリンターやスキャナ等の静止画像の読み込みと出力を前提としており、ディジタル画像処理の複雑化にともなう処理速度の遅れは問題視されておらず、テレビジョン装置等の動画像のディジタル画像処理には向かなかった。
【００１１】
また、特許文献４の発明は、次のような課題があった。複雑な論理フィルターを用いてノイズを除去するために、プログラム自体が重くなり処理速度を早めることが難しかった。
【００１２】
本発明は、上記課題にかんがみてなされたもので、画面全体の解像度を下げることなく、エッジ近傍に発生するリンギングノイズを抑制可能なディジタル画像処理、さらに、簡易な仕組みで動画像にも対応できる処理速度を有するディジタル画像処理を実行可能なテレビジョン装置を提供する。
【課題を解決するための手段】
【００１３】
上記課題を解決するために、本発明の請求項１にかかる発明では、映像を表示する表示ディスプレイと、リモコンの操作キーの操作に基づいて所定の制御信号を出力するマイコンと、上記マイコンに所定の制御信号を出力するための制御プログラムを記録する記録部と、  上記マイコンからの制御信号に基づいて、アンテナが受信したテレビジョン電波を基に映像信号と音声信号を生成するクロマ制御を行うチューナ部と、上記チューナ部にて生成された上記映像信号を上記表示ディスプレイのマトリクス状に配列した画素に対応するよう分割するとともに、マイコンからの指示に基づいて上記分割した映像信号に所定のディジタル画像処理を実行する映像回路とを有するテレビジョン装置において、
上記記録部は、上記マイコンが上記映像回路に画面のリンギングノイズの除去を実行するための制御信号を送るリンギングノイズ除去プログラムを記録し、上記リンギングノイズ除去プログラムは、上記各画素の輝度の差分を基にエッジ検出を行った後、検出された上記エッジの近傍の領域をラベリングし、上記ラベリングした領域の中の特定周波数を基準としてローパスフィルターにてリンギングノイズの低減を行うディジタル画像処理を実行するプログラムであって、上記リモコンの操作キーの操作に基づいて、上記マイコンは上記リンギングノイズ除去プログラムのパラメータであるエッジ検出のための輝度の差分の値と、上記ラベリングを行う領域の選択条件と、上記ローパスフィルターのフィルターをかける周波数のしきい値を変更可能である構成としてある。
【００１４】
上記のように構成した請求項１にかかる発明においては、画面のエッジ近傍に発生するリンギングノイズを除去するために、映像信号にディジタル画像処理を実施する映像装置に、リンギングノイズ防止プログラムに基づいてマイコンが所定の指示を出すものである。マイコンはまず第一に、画面上のエッジを輝度の差分を基に特定する。次に、上記特定したエッジの近傍にラベリング処理を施す。最後に上記ラベリング処理を施した画素領域の特定周波数帯を基にフィルタリングを施すよう上記映像回路に指示を出す。また、上記エッジ検出、ラベリング処理、さらにはフィルタリング処理は、パラメータの変更がリモコンを用いて可能である。
【００１５】
また、上記目的を達成するために、請求項２に記載のテレビジョン装置では、チューナ部が受信したテレビジョン電波を基に映像信号を生成するとともに、映像回路にて上記映像信号を表示パネルの各画素に対応するよう分割するとともに、同映像信号にディジタル画像処理を行うテレビジョン装置において、
上記各画素の輝度の差分を基にエッジを検出するエッジ検出手段と、上記エッジ検出手段にて検出されたエッジにて分割された領域を特定する領域特定手段と、上記領域特定手段により特定された領域の特定周波数をローパスフィルターを用いてフィルタリングすることによりリンギングノイズを除去するフィルタリング手段とを有する構成としてある
【００１６】
上記のように構成した請求項２にかかる発明において、テレビジョン装置は、画面のエッジ近傍に発生するリンギングノイズを除去するために、エッジ検出手段と、領域特定手段と、フィルタリング処理手段とを有する構成である。エッジ検出手段により検出された画面上のエッジは、領域特定手段により領域を特定され、上記特定された領域にフィルタリング処理手段は特定周波数を用いてフィルタリングを行う。上記エッジ検出手段、領域特定手段、およびフィルタリング処理手段は、マイコンを起動させるためのプログラム上で実現されてもよいし、ＩＣ回路とアナログ素子で構成した回路にて実現させてもよい。 
【００１７】
そして、請求項３にかかる発明では、請求項２に記載のテレビジョン装置であって、上記テレビジョン装置は、上記映像回路に所定のディジタル画像処理を実行するための指示を出すマイコンと、上記マイコンを起動させるための所定のプログラムを記録する記録部とを有する構成であって、上記エッジ検出手段と、上記領域特定手段とは上記記録部が記録するリンギングノイズ除去プログラムを基にマイコンが実行するとともに、上記フィルタリング処理手段は上記マイコンからの指示に基づいて映像回路にて実行される構成としてある。
【００１８】
上記のように構成した請求項３にかかる発明において、テレビジョン装置は、上記エッジ検出手段と領域特定手段とは、記録部に記録されたプログラムに基づいて、マイコンが実行するとともに、上記フィルタリング処理手段は所定のプログラムを基にマイコンが上記映像回路に所定の指示を出すことで実行する。
【００１９】
さらに、請求項４にかかる発明では、請求項３に記載のテレビジョン装置において、上記マイコンは、外部操作により上記記録部が記録するプログラムのパラメータを可変可能であって、上記リンギングノイズ除去プログラムは、エッジを特定するための上記輝度の差分の値と、上記領域特定手段が特定する領域と、上記フィルタリング処理手段がリンギングノイズを除去するために用いる特定周波数のしきい値を変更可能である構成としている。
【００２０】
上記のように構成した請求項４にかかる発明において、リモコン等の外部からの操作に基づいて、上記記録部が記録するエッジ検出手段と、領域特定手段と、フィルタリング手段とのプログラムのパラメータは変更される。
【発明の効果】
【００２１】
以上説明したように本発明によれば、リンギングノイズを画像全体の解像度を損なうことなく低減することが可能となる。
また請求項３にかかる発明によれば、プログラムを用いてリンギングノイズの除去を実行するので既存のテレビジョン装置にも応用することができる。
そして請求項４にかかる発明によれば、パラメータを可変できるので、個別のリンギングノイズの発生に対して、条件を変更することで対応することが可能となる。
さらに請求項１のような、より具体的な構成において、上述した請求項２〜請求項４の各発明と同様の作用を奏することはいうまでもない。
【発明を実施するための最良の形態】
【００２２】
以下、下記の順序に従って本発明の実施形態であるテレビジョン装置を説明する。
（１）テレビジョン装置の構成
（２）リンギングノイズ除去プログラムの構成
（３）まとめ
【００２３】
（１）テレビジョン装置の構成 
以下、図１、図２、図３、図４、図５、図６を参照して、この発明に係るテレビジョン装置を具体化した第１の実施の形態について説明する。図１はテレビジョン装置１０のブロック構成図である。同図より、テレビジョン装置１０は、表示ディスプレイ１５と、制御部１７と、チューナ部１３と、映像回路１４と、音声回路１６と、電源回路１８と、スピーカ１６ａとを有する構成である。上記構成のテレビジョン装置１０は、リモコン１２の操作キー１２ｂの操作の基づいて表示装置１１の制御を行う。テレビジョン装置１０の表示装置１１は制御部１７により制御され、制御部１７は、マイコン１７ｂと、記録部１７ｃと、リモコンＩ／Ｆ１７ａと、ＯＳＤ回路１７ｄとを有する構成である。
【００２４】
リモコン１２は、操作キー１２ｂと赤外線信号出力部１２ａとを有する構成である。ユーザが操作キー１２ｂを押圧すると、所定の電圧値を有する操作信号が赤外線信号出力部１２ａに出力される。上記操作信号は、後述する操作キー１２ｂの種類によって異なる電圧値を有しており、赤外線信号出力部１２ａは上記操作信号を受け取ると、同操作信号の電圧値に対応する周波数帯の赤外線信号を所定方向に出力する。操作キー１２ｂの種類としては、テレビジョン装置１０の電源を入力する電源キー１２ｂ４、音量を調整する音量キー１２ｂ２、チャネルを選択するチャンネルキー１２ｂ１、さらには画面にＯＳＤ画面を表示させるメニューキー１２ｂ３を有している。
【００２５】
テレビジョン装置１０の表示装置１１は、上記した赤外線信号を制御部１７のリモコンＩ／Ｆ１７ａにて受光して、再度所定の電圧値を有する操作信号としてマイコン１７ｂに出力する。マイコン１７ｂは上記操作信号を受け取ると、記録部１７ｃに記録された制御プログラムに基づいてテレビジョン装置１０の機能を制御するための制御信号を出力する。記録部１７ｃは、マイコン１７ｂがテレビジョン装置１０を機能させるためのさまざまなプログラムを記録しており、上記したプログラムに基づいてマイコン１７ｂは各構成要素を制御する。図２は、マイコン１７ｂが実行する制御プログラムのフローチャートである。以下に図２のフローチャートを基にテレビジョン装置１０の機能を説明してく。
【００２６】
ユーザがリモコン１２の電源キー１２ｂ４を押圧すると、電源を入力するための操作信号を受け取ったマイコン１７ｂは、電源回路１８にテレビジョン装置１０の機能を実行するのに必要な電源を供給するよう指示を出す。電源回路１８は、コンセント１８ａから商用電源を入力し、整流回路にて直流に変換した後、表示装置１１の各構成要素に必要な交流電源を再度生成して出力する。これにより、テレビジョン装置１０に電源が入力され、起動状態となる。
【００２７】
次に、ユーザがリモコン１２のチャンネルキー１２ｂ１を押圧して所定の番組を選択すると（ステップＳ１００）、マイコン１７ｂはチューナ部１３にアンテナ１３ａが受信したテレビジョン電波から選択されたチャネルに対応する周波数帯を選択するよう指示を出す（ステップＳ１１０）。チューナ部１３は、上記選択したテレビジョン放送を基に映像信号と音声信号を生成するクロマ制御を行い、映像信号を映像回路１４に、音声信号を音声回路１６に出力する。チューナ部１３としては、テレビジョン電波のアナログ放送を受信するものであってもよいし、アナログ放送とディジタル放送を受信するもの、さらにはディジタル放送のみを受信するものであってもよい。
【００２８】
チューナ部１３にて生成された映像信号は映像回路１４に送られ、上記入力された映像信号は、スケーラ部１４ａにてＲＧＢの各階調に対応するＲＧＢ信号に変換された後、表示ディスプレイ１５の表示パネル１５ａのマトリクス状に配列した各画素に対応するよう分割される。表示パネル１５ａは、印加電圧に基づいて、ＲＧＢの所定の階調を表現する画素をマトリクス状に配列しており、スケーラ部１４ａは上記入力された映像信号を各画素に対応するよう分割する。具体的には、１０２４×７６８の画素を持つ画素を持つＸＧＡ規格の表示ディスプレイに表示する場合において、一画面を構成する映像信号を横×縦が１０２４×７６８の画素にそれぞれ対応するよう分割される。表示ディスプレイ１５としては、液晶パネルやプラズマディスプレイ等のフラットパネルが挙げられ、なかでもＸＧＡ規格、ＳＸＧＡ規格、さらにはＵＸＧＡ規格のものが挙げられる。
【００２９】
また、映像回路１４は、マイコン１７ｂからの指示に基づいて上記分割した映像信号に所定のディジタル画像処理を実行するディジタル画像処理部１４ｂを有している。マイコン１７ｂは、上記分割された画像が表示パネル１５ａのどの画素に出力するかを制御しており、ディジタル画像処理部１４ｂに各画素に出力される映像信号に所定のディジタル画像処理を実行するよう指示を出す。また、ディジタル画像処理部１４ｂは、映像信号の高周波数帯を通過させるハイパスフィルターや、低周波数帯を通過させるローパスフィルターなどのバンドパスフィルター１４ｂ１を実装しており、これらを用いて各画素に出力される分割された映像信号はディジタル画像処理部１４ｂによりディジタル画像処理を施され、表示ディスプレイ１５に表示する映像の画質を向上させる。
【００３０】
上記ディジタル画像処理を施された映像信号は、表示ディスプレイ１５の駆動回路１５ｂに入力される。駆動回路１５ｂは、上記分割した映像信号を基にアナログ電圧である駆動電圧に変換して表示パネル１５ａの各画素に印加する。このとき、駆動回路１５ｂは、表示パネル１５ａの横方向の画素を一まとめに順次駆動電圧を印加していく。これにより表示ディスプレイは水平走査で各画素を点灯させ画面を構成する。
【００３１】
また、ユーザがリモコン１２の音量キー１２ｂ２を操作した場合（ステップＳ１２０）、マイコン１７ｂは、音声回路１６に入力された音声信号を音量キー１２ｂ２の操作に対応させて音量の上げ下げを行うよう指示を出す。こうして音声回路１６により増幅処理された音声信号はスピーカ１６ａから音声として出力される。
【００３２】
さらに、操作キー１２ｂのメニューキー１２ｂ３を操作することで、画面上にメニュー等の文字列を表示させたＯＳＤ映像を表示することができる。ＯＳＤ回路１７ｄは、内部に所定の文字列や映像のデータを記録しており、マイコン１７ｂは、メニューキー１２ｂ３の操作に基づいて（ステップＳ１４０）、ＯＳＤ回路１７ｄに所定の文字列や映像を表示させる（ステップＳ１５０）。上記したＯＳＤメニューにより画面上で、画面の分割やワイド化などのメニューを選択すると（ステップＳ１６０）、マイコン１７ｂは、映像回路１４に映像信号の拡大や縮小を指示する。映像回路１４は上記マイコンからの指示を受けて、映像信号の分割量を変化させて画面の縦横比を変化させる。このとき、映像信号は一時的メモリであるバッファ１４ｃに記録されており、上記バッファ１４ｃから映像信号を読み出すことでディジタル画像処理を行う。
【００３３】
このとき、拡大／縮小処理を行った映像信号により表示された映像は、エッジ近傍にリンギングノイズを発生させる場合がある。このため、マイコン１７ｂはステップＳ１６０にてＯＳＤメニュー画面で画面の拡大／縮小等の処理が選択されると、画面に発生するリンギングノイズを除去するために記録部１７ｃに記録されたリンギングノイズ除去プログラムを読み出し（ステップＳ１７０）、上記リンギングノイズ除去プログラムに沿って映像回路１４に指示を出す（ステップＳ１８０）。
【００３４】
（２）リンギングノイズ除去プログラムの構成
図３は、ステップＳ１８０で実施されるリンギングノイズ除去プログラムのフローチャートである。まずマイコン１７ｂは、表示パネル１５ａの各画素に対応する映像信号より映像の輪郭となるエッジを検出する。エッジの検出としては、横方向に隣接する画素の輝度の差分を基に、上記輝度の差分が所定のしきい値Ｔ１より高い隣接する画素の輝度が高い方をエッジとみなす（ステップＳ３００、Ｓ３１０）。図４は、表示ディスプレイを７×８の画素に簡略化して表した図である。同図より、各画素の列を左よりＨ１〜Ｈ７、行を上よりＢ１〜Ｂ８とし、右から３列目の上から３行目の画素をＨ３Ｂ３と便宜上表現する。また、各画素には、輝度の値を示す１から１０までの値を示し、１から順に輝度が高くなるものとする。さらに、上記画素におけるリンギングノイズを輝度が５であるＨ６Ｂ３の画素、Ｈ６Ｂ７の画素、さらにはＨ２Ｂ７の画素であるものとする。
【００３５】
今、隣接する画素の定義を対象の画素から上下左右の画素間であるとし、左右の２接点における輝度の差分に対するしきい値Ｔ１を３とおいた場合、マイコン１７ｂは、７×８の画素すべてにおいて、Ｔ１との比較を実行し（ステップＳ３２０）、図に示す灰色に塗りつぶされた画素をエッジと検出する（ステップＳ３３０）。上記した隣接の定義は対象の画素に対して上下左右の４接点に限らず、上下左右に斜め四点を含めた８接点を選択するものでもよい。これによりリンギングノイズ除去プログラムは、ステップＳ３００〜Ｓ３３０にてエッジ検出手段を構成する。 
【００３６】
次に、マイコン１７ｂは、上記検出したエッジで囲まれた内部の領域と外部の領域に識別のためのラベリング処理を施す。図５はラベリング処理を施された画素を示す図である。図のラベリング処理は、リンギングノイズの発生が、エッジに対して左右方向に発生することを考慮して、エッジを構成する各画素の左右の２接点の画素を対象として、さらに上記選択された各画素の２接点の画素で同様に選択されている画素同士を一つの塊としてラベリング処理を施している。図中ではエッジより外を斜め線に、エッジより中を横線で表している。
【００３７】
今エッジを構成するＨ３Ｂ２の画素を対象とすると、ステップＳ３４０にてラベリングの選択条件としてのしきい値Ｔ２が１である場合は、対象画素の２接点の１画素分がラベリング処理の対象となる。上記しきい値Ｔ２の値は同様に後述する方法で変更可能である。また、上記ラベリング処理の対象画素は上記した２接点にとらわれず、４接点であっても、８接点であってもよい。マイコン１７ｂは、すべてエッジ構成画素においてラベリング対象画素を特定し（ステップＳ３５０）、上記選択した画素同士を上述した方法で一塊とみなしラベリング処理を施す（ステップＳ３６０）。これによりリンギングノイズ除去プログラムはステップＳ３４０〜Ｓ３６０において領域特定手段を構成する。
【００３８】
最後に、マイコン１７ｂは、図で表示されたラベリング対象画素に特定周波数を基にバンドパスフィルター１４ｂ１のローパスフィルターを用いてフィルターをかけ、特定周波数Ｔ３以上の周波数帯に平滑化を行うようディジタル画像処理部１４ｂに指示を出す。このときマイコン１７ｂは、上記一塊のラベリング領域を選択し（ステップＳ３７０）、同選択した領域に対して特定周波数領域をしきい値Ｔ３を基にフィルタリングを行う。本発明で使用する特定周波数は空間周波数を意味する。マイコン１７ｂはすべての領域の画素の上記した特定周波数帯を比較し（ステップＳ３８０）、上記選択された周波数帯の画素を基にフィルター処理を行うよう映像回路１４に指示を出す（ステップＳ４００）。これにより、リンギングノイズ除去プログラムはステップＳ３７０〜Ｓ４００においてフィルタリング処理手段を構成する。フィルターの種類としてはガウスフィルターなどが上げられる。また、上記した特定周波数帯を示すしきい値Ｔ３は、後述するように可変可能である。
【００３９】
図６は、フィルタリング後の画素の輝度を示す図である。同図より、ラベリング領域におけるリンギングノイズの発生箇所Ｈ６Ｂ３、Ｈ６Ｂ７、Ｈ２Ｂ７はフィルタリングが施され平滑化されることとなる。このため、エッジ近傍のラベリング領域は輝度差が低くなる。上述したリンギングノイズの除去方法により、ノイズの除去をするためのフィルターリング処理はエッジ周辺にのみ実行され、画面全体の平滑化を行わないので、画面の解像度を損なうことなくリンギングノイズを除去することが可能となる。また、本発明のテレビジョン装置１０は、上述したリンギングノイズを除去するためのパラメータを以下の方法を用いて変更可能としている。
【００４０】
リモコン１２のメニューキー１２ｂ３と音量キー１２ｂ２を２個同時に所定時間押し続けると、図２のステップＳ１９０にて画面にＯＳＤ映像であるディジタル画像処理パラメータ変更画面が表示される。上記画面上でパラメータ変更を選択すると（ステップＳ２００）、マイコン１７ｂは記録部１７ｃに記録されたリンギングノイズ除去プログラムを読み出す（ステップＳ２１０）。次に、リモコン１２の操作キー１２ｂの操作に基づいて上記パラメータ画面上の各設定値を変更すると、マイコン１７ｂは、上記パラメータ画面上の変更に基づいてリンギングノイズ除去プログラムのしきい値であるＴ１、Ｔ２、Ｔ３を変更する（ステップＳ２３０）。
【００４１】
Ｔ１を変更した場合、エッジを検出するための画素間の輝度差が変更となる。これにより、エッジを検出するための画素間の輝度差の値が変更されるので、エッジ検出領域を広げたり狭めたりすることが可能となる。Ｔ２を変更した場合は、ラベリングする近傍の画素の数が変化する。一例としては、エッジに対して一画素分の４接点としたり、二画素分とすることが可能となる。また、Ｔ３を変更した場合は、フィルタリングを行う際の特定周波数の値が変更されることとなる。これにより、フィルタリングの方法が変化することとなる。また、上記したしきい値Ｔ１、Ｔ２、Ｔ３の組み合わせにより、エッジ検出領域と、フィルタリング手法をパラメータの設定に応じて変更可能とすることができるので、個別のリンギングノイズに対して広く対応することが可能となる。上記したリンギングノイズ除去プログラムの機能により、同リンギングノイズ除去プログラムは、エッジ検出手段、領域特定手段、並びにフィルタリング処理手段とを構成する。
【００４２】
最後に、リモコン１２のメニューキー１２ｂ３と音量キー１２ｂ２を２個同時に所定時間押し続けると、マイコン１７ｂはＦモードを終了し通常の起動状態に復帰する（ステップＳ２３０）。通常の起動状態では、リモコン１２の電源キー１２ｂ４を押圧するまで、上記した一連の流れを繰り返すこととなる。上記したＦモードの設定方法は、上記方法に限定されず、リモコン１２の所定の操作キー１２ｂの組み合わせによりＦモードに移行するものであればよい。
【００４３】
（３）まとめ
上述したテレビジョン装置１０の構成により、エッジ近傍に発生するリンギングノイズを除去するための、記録部１７ｃが記録するリンギングノイズ除去プログラムにて、エッジを特定した後、エッチ近傍の特定周波数帯にのみ平滑化処理を実行するので、画像全体の解像度を損なうことなくリンギングノイズを低減することが可能となる。
【００４４】
また、上記目的を達成するために、請求項２に記載のテレビジョン装置では、チューナ部が受信したテレビジョン電波を基に映像信号を生成するとともに、映像回路にて上記映像信号を表示パネルの各画素に対応するよう分割するとともに、同映像信号にディジタル画像処理を行うテレビジョン装置において、上記各画素の輝度の差分を基にエッジを検出するエッジ検出手段と、上記エッジ検出手段にて検出されたエッジにて分割された領域を特定する領域特定手段と、上記領域特定手段により特定された領域の特定周波数を平滑化処理することによりリンギングノイズを除去するフィルタリング処理手段とを有する構成としてある。
【００４５】
また、上記目的を達成するために、請求項２に記載のテレビジョン装置では、チューナ部が受信したテレビジョン電波を基に映像信号を生成するとともに、映像回路にて上記映像信号を表示パネルの各画素に対応するよう分割するとともに、同映像信号にディジタル画像処理を行うテレビジョン装置において、
上記各画素の輝度の差分を基にエッジを検出するエッジ検出手段と、上記エッジ検出手段にて検出されたエッジにて分割された領域を特定する領域特定手段と、上記領域特定手段により特定された領域の特定周波数をローパスフィルターを用いてフィルタリングすることによりリンギングノイズを除去するフィルタリング手段とを有する構成としてある
【００４６】
上記のように構成した請求項２にかかる発明において、テレビジョン装置は、画面のエッジ近傍に発生するリンギングノイズを除去するために、エッジ検出手段と、領域特定手段と、フィルタリング処理手段とを有する構成である。エッジ検出手段により検出された画面上のエッジは、領域特定手段により領域を特定され、上記特定された領域にフィルタリング処理手段は特定周波数を用いてフィルタリングを行うので、リンギングノイズを画像全体の解像度を損なうことなく低減することが可能となる。上記エッジ検出手段、領域特定手段、およびフィルタリング処理手段は、マイコンを起動させるためのプログラム上で実現されてもよいし、ＩＣ回路とアナログ素子で構成した回路にて実現させてもよい。 
【００４７】
そして、請求項３にかかる発明では、請求項２に記載のテレビジョン装置であって、上記テレビジョン装置は、上記映像回路に所定のディジタル画像処理を実行するための指示を出すマイコンと、上記マイコンを起動させるための所定のプログラムを記録する記録部とを有する構成であって、上記エッジ検出手段と、上記領域特定手段とは上記記録部が記録するリンギングノイズ除去プログラムを基にマイコンが実行するとともに、上記フィルタリング処理手段は上記マイコンからの指示に基づいて映像回路にて実行される構成としてある。
【００４８】
上記のように構成した請求項３にかかる発明において、テレビジョン装置は、上記エッジ検出手段と領域特定手段とは、記録部に記録されたプログラムに基づいて、マイコンが実行するとともに、上記フィルタリング処理手段は所定のプログラムを基にマイコンが上記映像回路に所定の指示を出すことで実行するので既存のテレビジョン装置にも応用することができる。
【００４９】
さらに、請求項４にかかる発明では、請求項３に記載のテレビジョン装置において、上記マイコンは、外部操作により上記記録部が記録するプログラムのパラメータを可変可能であって、上記リンギングノイズ除去プログラムは、エッジを特定するための上記輝度の差分の値と、上記領域特定手段が特定する領域と、上記フィルタリング処理手段がリンギングノイズを除去するために用いる特定周波数のしきい値を変更可能である構成としている。
【００５０】
上記のように構成した請求項４にかかる発明において、リモコン等の外部からの操作に基づいて、上記記録部が記録するエッジ検出手段と、領域特定手段と、フィルタリング手段とのプログラムのパラメータは変更されるので、個別のリンギングノイズの発生に対して、条件を変更することで対応することが可能となる。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】テレビジョン装置のブロック構成図である。
【図２】マイコンが実行する制御プログラムのフローチャートである。
【図３】マイコンが実行するリンギングノイズ除去プログラムのフローチャートである。
【図４】エッジ検出処理を行った画像を表す図である。
【図５】ラベリングをかけた画像を表す図である。
【図６】フィルタリング処理を行った画像を現す図である。
【図７】画面に現れるリンギングノイズを表す図である。
【符号の説明】
【００５３】
１０…テレビジョン装置  １１…表示装置  １２…リモコン、  １２ａ…赤外線送信部、１２ｂ１…チャンネルキー、  １２ｂ２…音量キー、  １２ｂ３…メニューキー、  １２ｂ４…電源キー  １３…チューナ部、  １３ａ…アンテナ、  １４…映像回路、  １４ａ…スケーラ部、  １４ｂ…ディジタル信号処理部、１４ｂ１…バンドパスフィルター  １４ｃ…バッファ、  １５…表示ディスプレイ、  １５ａ…駆動回路、  １５ｂ…表示パネル、  １６…音声回路、  １６ａ…スピーカ、  １７…制御部、  １７ａ…リモコンＩ／Ｆ、  １７ｂ…マイコン、  １７ｃ…記録部、  １７ｄ…ＯＳＤ回路、  １８…電源回路、  １８ａ…コンセント
【図１】
2007282121.tif 000003
【図２】
2007282121.tif 000004
【図３】
2007282121.tif 000005
【図７】
2007282121.tif 000006
【図４】
2007282121.tif 000007
【図５】
2007282121.tif 000008
【図６】
2007282121.tif 000009